(57)【特許請求の範囲】
【請求項１】
屋上に立設した鉄塔を支持する複数のステーを構築する工法であって、前記鉄塔の周囲にスライド用の軌条梁を敷設したスライド用架台を構築し、前記軌条梁の上に所要のステーを搬入し、前記鉄塔の上に設けたリフトアップ架台のジャッキで前記ステーの先端部をリフトアップさせるとともに、ステーの後端部を前記軌条梁上をスライドさせながら、当該ステーを屋上から外側に突出させることなく前記鉄塔に取り付けること、
を特徴とする屋上鉄塔におけるステーの構築方法。
【請求項２】
屋上に立設した鉄塔を支持する複数のステーを構築する工法であって、前記鉄塔の周囲にスライド用の軌条梁を敷設したスライド用架台を構築し、前記軌条梁の上に所要のステーを搬入し、該ステーの後端部を前記軌条梁の上で上下方向に回転自在にピン結合させ、かつ、水平方向に回転自在にして係合させ、前記鉄塔の上に設けたリフトアップ架台のジャッキで前記ステーの先端部をリフトアップさせるとともに、ステーの後端部を前記軌条梁上をスライドさせ、かつ、水平方向に回転させながら、当該ステーを屋上から外側に突出させることなく前記鉄塔に取り付けること、
を特徴とする屋上鉄塔におけるステーの構築方法。
【発明の詳細な説明】
【０００１】
【発明の属する技術分野】
本発明は、建築物の屋上に構築する鉄塔における支持部材である複数のステーを、限られた狭いスペース内において構築する方法に関する。
【０００２】
【従来の技術】
従来、建築物の屋上に構築する鉄塔、例えば、通信アンテナ，パラボラアンテナ等を設置するための鉄塔には、該鉄塔の周囲に立設状態を維持する支持部材としての複数のステーが設けられる。このステーを構築するに、例えば、クレーン等の揚重装置により、建築物のサイトで構築したステーを屋上につり上げて、該ステーの先端部を鉄塔に固定し、ステーの後端部を基礎ブロックに固定する方法がある。
【０００３】
また、他の方法として、建築物の屋上においてステーを構築し、クレーンによりつり上げて鉄塔に固定したり、鉄塔上に設けたジャッキ等でつり上げたりして鉄塔に固定する方法も知られている。
【０００４】
【発明が解決しようとする課題】
しかしながら、建築物の屋上が狭く、隣接する土地に高層建築物があったりすると、ステーを予め鉄塔のサイトで水平に作って吊り上げる方法を採用できないことがある。また、建築物の屋上が細長い矩形状であると、その長手方向においてはステーを屋上にて形成することが出来るが、短手方向においてはステーを形成することができないという課題がある。本発明に係るステーの構築工法は、このような課題を解消するために提案されるものである。
【０００５】
【課題を解決するための手段】
本発明の上記課題を解決するための要旨は、屋上に立設した鉄塔を支持する複数のステーを構築する工法であって、前記鉄塔の周囲にスライド用の軌条梁を敷設したスライド用架台を構築し、前記軌条梁の上に所要のステーを搬入し、前記鉄塔の上に設けたリフトアップ架台のジャッキで前記ステーの先端部をリフトアップさせるとともに、ステーの後端部を前記軌条梁上をスライドさせながら、当該ステーを屋上から外側に突出させることなく前記鉄塔に取り付けることとした屋上鉄塔におけるステーの構築方法である。
【０００６】
また、屋上に立設した鉄塔を支持する複数のステーを構築する工法であって、前記鉄塔の周囲にスライド用の軌条梁を敷設したスライド用架台を構築し、前記軌条梁の上に所要のステーを搬入し、該ステーの後端部を前記軌条梁の上で上下方向に回転自在にピン結合させ、かつ、水平方向に回転自在にして係合させ、前記鉄塔の上に設けたリフトアップ架台のジャッキで前記ステーの先端部をリフトアップさせるとともに、ステーの後端部を前記軌条梁上をスライドさせ、かつ、水平方向に回転させながら、当該ステーを屋上から外側に突出させることなく前記鉄塔に取り付けることとした屋上鉄塔におけるステーの構築方法である。
【０００７】
本発明に係るステーの構築方法によれば、建築物の屋上に鉄塔を建ててその周囲に複数のステーを配設して支持補強させる場合において、建築物が敷地いっぱいに建てられていて、該建築物の周囲に大型クレーンを設置できない場合や、屋上の中央部でなく周辺に偏在させて鉄塔を設けた場合等では、屋上に搬入したステーをスライドさせながらリフトアップさせて、鉄塔と定着用基礎ピースとに架設し定着させることが可能となる。また、鉄塔に対して斜めにした状態でステーを搬入し、このステーをスライドさせながら、且つ、水平方向に回転させて鉄塔に対して真っ直ぐな状態にし、その後、ステーの先端部をリフトアップさせ、かつ、ステー後端部を鉄塔に向かってスライドさせることで、長いステーの後端部を屋上部分から建築物外部に突出させる事なく、鉄塔と定着用基礎ピースとの間にステーを架設し定着させることが出来るようになる。
【０００８】
【発明の実施の形態】
次に、本発明に係るステーの構築方法について図面を参照して説明する。本構築方法においては、建築物の屋上において、図１に示すように、鉄塔１を支持させるステーＡ，Ｂ，Ｃをスライドさせるためのスライド用架台２，３と、当該ステーをリフトアップさせるため鉄塔１の上面に取り付けられるリフトアップ架台及びジャッキと、を各々設けるものである。
【０００９】
まず、最初にステー用のスライド用架台２，３の構築について説明する。このスライド用架台は、鉄塔１の周囲の左右方向と前後方向との３箇所に配設されるステーのために、図１に示すように、鉄塔１の左右方向と後方向とに設けられる。
【００１０】
例えば、鉄塔１の右方向に設けられるスライド用架台３の構造を説明すると、図１乃至図２（イ）に示すように、屋上において、建築物の鉄骨本体５に先付けされた基礎ピース６，６間の上に、山留め材（Ｈ−４００）を使用した軌条受け梁７を横架する。この軌条受け梁７の上に、所要幅をおいて一組の軌条受け支柱８，８を立設する。
【００１１】
前記軌条受け支柱８は、例えば、鉄塔１に対して左右方向（図１参照）にスライドさせる第２ステーＡ用として当該左右方向に所要間隔をおいて、前後方向に当該受け支柱８，８が一対にして、複数配設される。また、例えば、第１ステーＢと第３ステーＣ用として、塔１の前後方向に全体として平面視において格子状に配設される。当該軌条受け支柱８には、支持部材として、火打ち受けピース９ａと調整材９ｂとからなる火打ち材９が設けられている。
【００１２】
前記軌条受け支柱８の上に、適宜な高さ調整材１０を介在させ、その上に左右方向に架け渡すことにより、前記第２ステーＡを左右方向にスライドさせる軌条梁１１を敷設する。この軌条梁１１が、ステー用のスライド軌条となる。
【００１３】
更に、前記軌条梁１１の上において、図２（ロ）に示すように、該梁１１の両端縁部に沿ってスライド用のＬ形のガイド１２，１２を背向配置にしてシャコ万１２ｂで挟持させて敷設する。該ガイド１２，１２の立ち上がり部分でスライド用の溝１３が軌条梁１１上に出来る。この他にも、図２（ハ）に示すように、溝型鋼１２ｃを軌条梁１１上に仮置きボルト１２ｄで載置し、溶接手段で固定して敷設することで、前記溝１３を形成することもできる。なお、前記ボルト１２ｄは溝型鋼１２ｃの溶接後に撤去しておく。
【００１４】
前記背向させたガイド１２，１２の間の軌条梁１１上面に、摺動自在な高さ調整材１４と受け材１５とを前後方向において一対にして、これを左右方向において適宜間隔毎に載置する。
【００１５】
更に、図２（イ）に示すように、この前後方向の受け材１５，１５の間に受け梁１６又は上弦材受け梁１６ａを横架する。このようにして、図１乃至図４に示すように、前記軌条受け梁７の上に門型の地組・スライド軌条兼用のスライド用架台３を形成する。なお、前記第２ステーＡには、スライド用の引張りワイヤ３４ａとそれに連結されたチルホール３４、及び、惜しみ側のワイヤ３５ａ（弛みが生じないようにする）とそれに連結されたチルホール３５とが装備される。
【００１６】
前記スライド用架台３における第２ステーＡとの結合構造は、例えば、第２ステーの場合は、図２（ニ），（ホ）に示すように、前記上弦材受け梁１６ａと第２ステーＡの上弦材Ａ１とからヒンジ１７，１７ａを配設しピン１８で回動自在に結合する。
【００１７】
また、第１ステーＢと第３ステーＣの場合には、図１に示すように、鉄塔１の後方側に、平面視において全体矩形状に形成したスライド用架台２を構築する。
【００１８】
前記スライド用架台２において、第１ステーＢ用の軌条梁２０をスライド用架台２の左端で前後方向に設け、第３ステーＣ用の軌条梁２１を、スライド用架台２の後部中央から右端部へ湾曲させたＲ軌条梁にして鉄塔１へ敷設する。
【００１９】
また、図５に示すように、前記軌条梁２０，２１の上をスライドする受け梁１６においては、その中央部上に回転機構１９を設け、各第１，第３ステーＢ，Ｃの下端部を当該回転機構１９の上部にピン結合する。これにより、前記第１，３ステーＢ，Ｃは、それぞれスライド用架台２に対して水平方向に回転可能となる。
【００２０】
以上のようにして、スライド用架台２，３を構築後に、該架台２，３の上で第１ステーから第３ステーをそれぞれ載置する作業に入る。図１に示すように、第１ステーと第３ステーとは、その長さの割に作業面積が狭いので鉄塔１に対して、左右方向と前後方向とにおいて斜め状態にして搬入される。
【００２１】
第１，第２，第３の各ステーは、三角トラスによる立体トラスに組み立てられていて、各々が前記スライド用架台２，３上に搬入される。そして、図６に示すように、一例として第２ステーＡの先端部に、鉄塔１に取り付けるための単柱２２を仮付けする。他の第１，第３ステーＢ，Ｃも同様にする。
【００２２】
次に、鉄塔１の頂部においてジャッキ等を設置するためのリフトアップ架台２３を作成する。このリフトアップ架台２３は、鉄塔１の矩形状の頂部上面から水平に外側へ突出させたＨ形鋼である。第１から第３の各ステーＡ，Ｂ，Ｃに対して２本ずつＨ形鋼が突出されている（図１参照）。
【００２３】
このリフトアップ架台２３の突出端側にダブルツインジャッキ（能力約７０トン×２個）２４が載置されている。
【００２４】
前記ダブルツインジャッキ２４と各ステーＡ，Ｂ，Ｃとの取り合いの一例として、図７に示すように、リフトアップさせるステーの先端部２５にＰＣストランド２６の一端を繋着し、他端をダブルツインジャッキ２４に繋着させる。
【００２５】
また、リフトアップ時のステーの振れ止めとして、図８に示すように、ステー先端部２５の両側に、メッセンジャーワイヤ２７をリフトアップ架台２３とその下位置の本体鉄骨２８との間で上下に張設する。ターンバックル２９によりワイヤの張設具合を調節する。
【００２６】
前記両メッセンジャーワイヤ２７，２７の内側に、振れ止めワイヤ３０を前記リフトアップ架台２３と前記本体鉄骨２８との間で架設するとともに、ステー側に設けた滑車３１とメッセンジャーワイヤ２７に係合させた滑車３２とに通して張設する。その張設具合は、ターンバックル３３によって行う。この振れ止めワイヤ３０により、各ステーＡ，Ｂ，Ｃのリフトアップ方向に直交する前後方向又は左右方向の振れが弾力的に抑制される。
【００２７】
次に、各ステーのリフトアップ作業について説明する。例えば、図６に示すように、第２ステーＡの場合には、リフトアップ架台２３のダブルツインジャッキ２４でステーの先端部２５を吊り上げる。また、同時に、当該ステーの後端部３６をスライド軌条である軌条梁１１の上で、鉄塔１に向かって左右方向にスライドさせる。
【００２８】
このスライド作業においては、図４に示すように、引張り側チルホール３４（電動式）と惜しみ側チルホール３５（手動式）とでステーの移動の具合を調節しながら、第２ステーＡをスライドさせる。
【００２９】
前記ダブルツインジャッキ２４で第２ステーＡの先端部２５を、約２０ｍ程でリフトアップさせて所定の位置まで吊り上げた後に、該第２ステーＡの先端部２５を鉄塔１に接続する。
【００３０】
次に、図９に示すように、ステー後端部３６のスライド完了後に、軌条梁１１上のガイド１２を取り外し、該軌条梁１１上にチェーンブロック用架台３７を構築する。
【００３１】
このチェーンブロック架台３７にタワークレーンで手動のチェーンブロック３８を、水平な架台の下に取り付けた直吊金具３９を介して４台を吊り下げて取り付ける。このチェーンブロック３８のチェーン端部を第２ステーＡの後端部３６に係止させる。
【００３２】
前記チェーンブロック３８にて、前記後端部３６を定着用基礎ピース４０へとゆっくり落とし、ボルトにて両者を接続する。
【００３３】
次に、第２ステーＡの先端部２５におけるエレクションピースの全ての本締めを行う。そして、図１０に示すように、安全性の確保のために落下防止装置４１に該先端部２５を盛り替えるべく、リフトアップ架台２３の下面に固着した直吊り金具４１ａと、ステー先端部２５の吊りピース２５ａに係合させたシャンクとにワイヤー４１ｂを少し弛ませた状態にて繋着させておく。
【００３４】
その後、第２ステーＡの先端部２５と後端部３６との定着をそれぞれ行う。即ち、第２ステー先端部２５の単柱２２を溶接手段により鉄塔１に連結し、エレクションピースを撤去する。
【００３５】
次に、図１に示すように、第１ステーＢのリフトアップを行う。この場合に、鉄塔１に対して斜めの状態に搬入された第１ステーＢの先端部は、ワイヤを取り付ける吊り部分が鉄塔１に対して平行でないので、図１１に示すように、リフトアップ架台２３の下フランジ２３ａにおいて、水平方向に走行できるような桁吊り金具４２を用意して、そのワイヤ４２ａでバランスを保って吊ることで、斜め状態の第１ステーＢをリフトアップ出来るようにする。
【００３６】
また、第１ステーＢの後端部は、前述の通りに、スライド用架台２における受け梁１６との間に設けられる回転機構１９により、水平方向に回転できる。
【００３７】
この第１ステーＢを、その後端部をスライド用架台２の軌条梁２０の上をスライドさせながら、前方向に向けて所定の位置に移動させる。
【００３８】
第１ステーＢが、鉄塔１に対して斜め状態から真直ぐになった状態で、第１ステーＢの先端部を、リフトアップ架台２３におけるダブルツインジャッキ２４のＰＣストランド２６に盛り替える。また、メッセンジャーワイヤ２７及び振れ止めワイヤ３０を張設しておく。
【００３９】
前記ダブルツインジャッキ２４で第１ステーＢをリフトアップさせるとともに、第１ステーＢの後端部をチェーンブロックで支持して介錯させる。そして、第１ステーＢの先端部を所定の位置にまでリフトアップさせた後、前記第２ステーＡの場合と同様に、その先端部に落下防止装置４１のワイヤ４１ｂを取り付ける。
【００４０】
前記第１ステーＢの先端部を鉄塔１に取り付けて、後端部をチェーンブロックで吊りながら定着用基礎ピース４０に取り付ける。
【００４１】
その後、第１ステーＢの先端部のエレクションピースの本締めを行う。そして、当該先端部を前記落下防止装置４１に盛り替える。第１ステーＢの先端部と後端部とを鉄塔１及び定着用基礎ピース４０にそれぞれ固着する。
【００４２】
第３ステーＣのリフトアップは、図１に示すように、第３ステーＣの先端部を桁吊り金具４２により吊り、床部にセットした巻上げ機等の手段で前記先端部を吊り上げると共に、該第３ステーＣの後端部をスライド用架台２におけるＲ状の軌条梁２１の上をスライドさせ、かつ、ステーＣを水平方向に回転させながら鉄塔１に向けて移動させ、鉄塔１に対して斜め状態から真直ぐな状態にする。
【００４３】
第３ステーＣが鉄塔１に対して真直ぐになった状態で、当該第３ステーＣの先端部を桁吊り金具４２によるワイヤ４２ａからダブルツインジャッキ２４のＰＣストランド２６に盛り替える。
【００４４】
その後は、前記第１ステーＢのリフトアップと同様にして施工し、鉄塔１に第３ステーＣを取り付けるものである。
【００４５】
このようにして、建築物の屋上において鉄塔を立てる際に、該鉄塔を支持するステーが鉄塔サイトで水平に構築すると屋上からはみ出してしまう場合に、仮受け台を構築し、ステーを鉄塔に対して斜めに構築して長さを確保し、ステー先端部をリフトアップさせながらステー後端部をスライドさせ、かつ、スライド用架台に対して水平方向に回転させながら移動させることで、狭い屋上の範囲内においてステーをリフトアップさせることが出来るようになるものである。
【００４６】
【発明の効果】
以上説明したように、本発明は、屋上に立設した鉄塔を支持する複数のステーを構築する工法であって、前記鉄塔の周囲にスライド用の軌条梁を敷設したスライド用架台を構築し、このスライド用架台の上に所要のステーを搬入し、前記鉄塔の上に設けたリフトアップ架台のジャッキで前記ステーの先端部をリフトアップさせるとともに、ステーの後端部を前記軌条梁上をスライドさせながら、当該ステーを屋上から外側に突出させることなく前記鉄塔に取り付けるようにしたステーの構築方法なので、狭い屋上でクレーンを設置できないような限られた条件の中で、ステーを屋上から外部に突出させることなく、ステーを鉄塔に取り付けて支持させることができるという優れた効果を奏するものである。
【００４７】
本発明は、屋上に立設した鉄塔を支持する複数のステーを構築する工法であって、前記鉄塔の周囲にスライド用の軌条梁を敷設したスライド用架台を構築し、このスライド用架台の上に所要のステーを搬入し、該ステーの後端部を前記軌条梁の上で上下方向に回転自在にピン結合させ、かつ、水平方向に回転自在にして係合させ、前記鉄塔の上に設けたリフトアップ架台のジャッキで前記ステーの先端部をリフトアップさせるとともに、ステーの後端部を前記軌条梁上をスライドさせ、かつ、水平方向に回転させながら、当該ステーを屋上から外側に突出させることなく前記鉄塔に取り付けるようにしたステーの構築方法なので、屋上の中央部でなく周囲に偏在させて鉄塔を設けた場合等においても、鉄塔に対して斜めにした状態で分割されたステーを搬入して溶接手段で一体化し、このステーをスライドさせながら且つ水平方向に回転させて鉄塔に対して真っ直ぐな状態にし、その後、ステーの先端部をリフトアップさせ、かつ、鉄塔に向かってスライドさせることで、長いステーの後端部を屋上部分から建築物外部に突出させる事なく、鉄塔と定着用基礎ピースとの間にステーを架設し定着させることができるという優れた効果を奏するものである。
【図面の簡単な説明】
【図１】本発明に係るステーの構築方法の実施状態を示す平面図である。
【図２】同ステーの構築方法における、第２ステーの後端部とスライド用架台との取り合いを示す正面図（イ）と、各部の詳細図（ロ）、（ハ）、（ニ）、（ホ）である。
【図３】同第２ステーの後端部をスライド用架台に載置した状態の平面図である。
【図４】同第２ステーの後端部をスライド用架台に載置した状態の正面図である。
【図５】同第１ステーと第３ステーをスライド用架台に載置して、その後端部が回転機構に支持されている様子を示す説明図である。
【図６】同第２ステーを鉄塔にリフトアップさせる様子を示す説明図である。
【図７】同ステーをリフトアップさせる際において、第２ステーの例で示すステー先端部のリフトアップ状態におけるメッセンジャーワイヤとＰＣストランドとの係合状態を示す側面図である。
【図８】同図７における正面図である。
【図９】同ステーを屋上の定着用基礎ピースに定着させる様子を示す説明図（イ）、（ロ）である。
【図１０】同ステーをリフトアップさせて所定の位置にきたときに、落下防止装置に盛り替える様子を示し、第２ステーの例で示す説明図（イ）、（ロ）である。
【図１１】同第１ステーと第３ステーの場合において、鉄塔に対して斜め状態にしてスライド用架台上に載置されて平行状態ではないので、リフトアップ架台に設けた桁吊り金具４２とワイヤ４２ａとによりステー先端部をバランスを保って吊る様子を示す説明図である。
【符号の説明】
１  鉄塔、２，３  スライド用架台、５  鉄骨本体、  ６  基礎ピース、
７  軌条受け梁、８  軌条受け支柱、９  火打ち材、
１０  高さ調整材、１１  軌条梁、１２  ガイド、１３  スライド用の溝、
１４  高さ調整材、１５  受け材、１６  受け梁、１６ａ  上弦受け梁、
１７，１７ａ  ヒンジ、１８  ピン、１９  回転機構、２０  軌条梁、
２１  軌条梁、２２  単柱、２３  リフトアップ架台、２３ａ  下フランジ、
２４  ダブルツインジャッキ、２５  ステーの先端部、
２６  ＰＣストランド、２７  メッセンジャーワイヤ、２８  本体鉄骨、
２９  ターンバックル、３０  振れ止めワイヤ、３１，３２  滑車、
３３  ターンバックル、３４  引張り側チルホール、
３５  惜しみ側チルホール、３６  第２ステーの後端部、
３７  チェーンブロック用架台、３８  チェーンブロック、３９  直吊金具、
４０  定着用基礎ピース、４１  落下防止装置、４２  桁吊り金具。
【図１】
0003745905.tif 000002
【図２】
0003745905.tif 000003
【図３】
0003745905.tif 000004
【図４】
0003745905.tif 000005
【図５】
0003745905.tif 000006
【図６】
0003745905.tif 000007
【図７】
0003745905.tif 000008
【図８】
0003745905.tif 000009
【図９】
0003745905.tif 000010
【図１０】
0003745905.tif 000011
【図１１】
0003745905.tif 000012